【手続補正書】
【提出日】平成29年10月2日(2017.10.2)
【手続補正１】
【補正対象書類名】明細書
【補正対象項目名】０１５０
【補正方法】変更
【補正の内容】
【０１５０】
第２前歯部クラウンは、ＶＩＴＡＢＬＯＣＳ（登録商標）ＲｅａｌＬｉｆｅ（登録商標）分離内部形状歯科用ミルブランクから作製されたクラウンと同じく、審美的に好ましいと考えられるが、表４に示すように、短い時間（例えば、約３０パーセント迅速化）で製造することが可能であると考えられる。本発明の実施態様の一部を以下の項目［１］−［３０］に記載する。
［１］
第１透光性及び第１色調を有する第１硬質修復用材料の第１層と、
第２透光性及び第２色調を有する第２硬質修復用材料の第２層と、
を含む歯科用ミルブランクであって、
該第１透光性が該第２透光性と異なることと、
該第１色調が該第２色調と異なることとのうち少なくとも一方が真であり、
該第１層と該第２層が第１界面を形成し、該第１界面が、
該歯科用ミルブランクの第１対称面にわたる、ゼロではない曲率を有する第１曲線と、
該第１対称面に対して直交する、該歯科用ミルブランクの第２面の全長に沿った第１直線と、を有する、歯科用ミルブランク。
［２］
前記曲線が滑らかな曲線である、項目１に記載の歯科用ミルブランク。
［３］
前記滑らかな曲線が、円、準円、円弧、楕円、楕円弧、放物線、卵形、準卵形、卵形弧、又は懸垂線からなる群から選択される、項目２に記載の歯科用ミルブランク。
［４］
前記第２面が、前記歯科用ミルブランクの対称面である、項目１に記載の歯科用ミルブランク。
［５］
前記第１硬質修復用材料の前記第１層が負の曲率を有し、前記第２硬質修復用材料の前記第２層が正の曲率を有する、項目１に記載の歯科用ミルブランク。
［６］
前記第１透光性が前記第２透光性と異なる、項目１に記載の歯科用ミルブランク。
［７］
前記第１色調と前記第２色調とが等しい、項目６に記載の歯科用ミルブランク。
［８］
前記第１色調が前記第２色調と異なる、項目６に記載の歯科用ミルブランク。
［９］
前記第１硬質修復用材料と前記第２硬質修復用材料とが、前記第１界面で物理的に混合されていない、項目１に記載の歯科用ミルブランク。
［１０］
第３硬質修復用材料の第３層を更に含み、該第３層と前記第２層とが第２界面を形成する、項目１に記載の歯科用ミルブランク。
［１１］
前記第３硬質修復用材料が第３透光性及び第３色調を有し、
前記第２透光性が該第３透光性と異なることと、
前記第２色調が該第３色調と異なることとのうち少なくとも一方が真である、項目１０に記載の歯科用ミルブランク。
［１２］
前記第２層と前記第３層が、第２界面を形成し、該第２界面が、
前記歯科用ミルブランクの前記第１対称面にわたる、ゼロではない曲率を有する第２曲線と、
該第１対称面に対して直交する、該歯科用ミルブランクの第２面の全長に沿った第２直線と、を有する、項目１０に記載の歯科用ミルブランク。
［１３］
前記歯科用ミルブランクが更にホルダーを含む、項目１に記載の歯科用ミルブランク。
［１４］
前記ホルダーが、フレーム、突出部、マンドレル、又はポストから選択される、項目１３に記載の歯科用ミルブランク。
［１５］
項目１の前記歯科用ミルブランクから形成される歯科用修復物。
［１６］
前記歯科用修復物が、歯科用インレー、オンレー、ベニア、フルクラウン、部分クラウン、ブリッジ、義歯、インプラント、インプラントアバットメント、インプラントヒーリングキャップ、ポスト、一時的修復物、又はこれらの歯科用修復物の任意のものの一部分の形状を有する、項目１５に記載の歯科用修復物。
［１７］
歯科用ミルブランクを形成する方法であって、
第１修復用材料の第１層と第２修復用材料の第２層とを接合して、
該歯科用ミルブランクの第１対称面にわたる、ゼロではない曲率を有する第１曲線と、
該第１対称面に対して直交する、該歯科用ミルブランクの第２面の全長に沿った第１直線と、
を有する第１界面を形成する工程と、
該第１修復用材料と該第２修復用材料を硬化させて、第１透光性及び第１色調を有する第１硬質修復用材料と、第２透光性及び第２色調を有する第２硬質修復用材料とを形成する工程と、を含み、
該第１透光性が該第２透光性と異なることと、
該第１色調が該第２色調と異なることとのうち少なくとも一方が真である、方法。
［１８］
前記第１修復用材料の前記第１層と前記第２硬質修復用材料の前記第２層とを接合することにより、前記第１界面の滑らかな曲線を形成する、項目１７に記載の方法。
［１９］
前記第１修復用材料の前記第１層と前記第２硬質修復用材料の前記第２層とを接合することにより、前記歯科用ミルブランクの前記第２面について対称面を形成する、項目１７に記載の方法。
［２０］
第３修復用材料の第３層を、前記第２修復用材料の前記第２層に接合する工程であって、該第２層と該第３層が、
前記歯科用ミルブランクの前記第１対称面にわたる、ゼロではない曲率を有する第２曲線と、
該第１対称面に対して直交する、該歯科用ミルブランクの前記第２面の全長に沿った第２直線と、
を有する、第２界面を形成する、工程と、
該第３修復用材料を、前記第１修復用材料及び該第２修復用材料と共に硬化させて、該歯科用ミルブランクの前記第１硬質修復用材料、前記第２硬質修復用材料及び第３硬質修復用材料を形成する工程と、を更に含む、項目１７に記載の方法。
［２１］
前記第３硬質修復用材料が第３透光性及び第３色調を有し、
前記第２透光性が該第３透光性と異なることと、
前記第２色調が該第３色調と異なることとのうち少なくとも一方が真である、項目２０に記載の方法。
［２２］
前記層の接合工程が、共押出、順送押出、順送プレス、又はアディティブビルドアップから選択される、項目１７に記載の方法。
［２３］
項目１に記載の歯科用ミルブランクを含む、キット。
［２４］
セメント、接着剤、研磨剤、磨き用ペースト、装置、ソフトウェア、フライス、ＣＡＤ／ＣＡＭシステム、複合材料、陶材、ステイン、バー、印象材、ミルブロック、又はこれらの組み合わせの群から選択される少なくとも１つの歯科用構成要素を更に含む、項目２３に記載のキット。
［２５］
前記歯科用ミルブランクが、取り付けポスト又はフレームに固定されている、項目２３に記載のキット。
［２６］
項目１の歯科用ミルブランクを用いて作製される、歯科用修復物。
［２７］
歯科用修復物の作製方法であって、
ＣＡＤ／ＣＡＭソフトウェアで該歯科用修復物を設計する工程と、
請求項１の歯科用ミルブランク内に該修復物を配置する工程と、
該歯科用修復物のＣＡＤ／ＣＡＭソフトウェアを用いて、フライス盤で、該歯科用ミルブランクから、該歯科用修復物をフライス加工する工程と、
を含む、方法。
［２８］
前記歯科用修復物のポリッシング工程を含む、項目２７に記載の方法。
［２９］
患者の歯牙構造を前記歯科用修復物で治療する、項目２８に記載の方法。
［３０］
前記歯牙構造の治療が、前記歯科用修復物を該歯牙構造に歯科用セメントで装着する工程を含む、項目２９に記載の方法。
【手続補正２】
【補正対象書類名】特許請求の範囲
【補正対象項目名】全文
【補正方法】変更
【補正の内容】
【特許請求の範囲】
【請求項１】
第１透光性及び第１色調を有する第１硬質修復用材料の第１層と、
第２透光性及び第２色調を有する第２硬質修復用材料の第２層と、
を含む歯科用ミルブランクであって、
該第１透光性が該第２透光性と異なることと、
該第１色調が該第２色調と異なることとのうち少なくとも一方が真であり、
該第１層と該第２層が第１界面を形成し、該第１界面が、
該歯科用ミルブランクの第１対称面にわたる、ゼロではない曲率を有する第１曲線と、
該第１対称面に対して直交する、該歯科用ミルブランクの第２面の全長に沿った第１直線と、を有する、歯科用ミルブランク。
【請求項２】
前記曲線が滑らかな曲線であり、前記滑らかな曲線が、円、準円、円弧、楕円、楕円弧、放物線、卵形、準卵形、卵形弧、又は懸垂線からなる群から選択される、請求項１に記載の歯科用ミルブランク。
【請求項３】
前記第２面が、前記歯科用ミルブランクの対称面である、請求項１に記載の歯科用ミルブランク。
【請求項４】
前記第１硬質修復用材料の前記第１層が負の曲率を有し、前記第２硬質修復用材料の前記第２層が正の曲率を有する、請求項１に記載の歯科用ミルブランク。
【請求項５】
前記第１透光性が前記第２透光性と異なる、請求項１に記載の歯科用ミルブランク。
【請求項６】
前記第１硬質修復用材料と前記第２硬質修復用材料とが、前記第１界面で物理的に混合されていない、請求項１に記載の歯科用ミルブランク。
【請求項７】
第３硬質修復用材料の第３層を更に含み、該第３層と前記第２層とが第２界面を形成する、請求項１に記載の歯科用ミルブランク。
【請求項８】
請求項１の前記歯科用ミルブランクから形成され、歯科用インレー、オンレー、ベニア、フルクラウン、部分クラウン、ブリッジ、義歯、インプラント、インプラントアバットメント、インプラントヒーリングキャップ、ポスト、一時的修復物、又はこれらの歯科用修復物の任意のものの一部分の形状を有する歯科用修復物。
【請求項９】
歯科用ミルブランクを形成する方法であって、
第１修復用材料の第１層と第２修復用材料の第２層とを接合して、
該歯科用ミルブランクの第１対称面にわたる、ゼロではない曲率を有する第１曲線と、
該第１対称面に対して直交する、該歯科用ミルブランクの第２面の全長に沿った第１直線と、
を有する第１界面を形成する工程と、
該第１修復用材料と該第２修復用材料を硬化させて、第１透光性及び第１色調を有する第１硬質修復用材料と、第２透光性及び第２色調を有する第２硬質修復用材料とを形成する工程と、を含み、
該第１透光性が該第２透光性と異なることと、
該第１色調が該第２色調と異なることとのうち少なくとも一方が真である、方法。